(57)【要約】【課題】使用者が着用したときに、使用者の足や脚の関節、筋肉や靭帯などの所定箇所にテーピングを行ったときと同様な緊締状態を作り、脚の筋肉の運動を促進することができる靴下を提供することを目的とする。【解決手段】使用者の足部と脚部を覆設する本体部１と、前記本体部１より緊締力が強く使用者の足根中足関節近傍を周回する帯状の第一緊締部２と、前記本体部１より緊締力が強く前記第一緊締部２から使用者の外足側を通り使用者の外足側の踝の上方に至る帯状の第二緊締部３と、前記本体部１より緊締力が強く第二緊締部３から上方であって使用者の脛側に延びる第三緊締部４と、前記本体部１より緊締力が強く第二緊締部３から上方であって使用者のふくらはぎ側に延びる第四緊締部５を備え、使用者の足首から脚部にかけて緊締力が徐々に弱くなる靴下によって解決することができた。【選択図】図１
0003226124.tif 000002
【実用新案登録請求の範囲】
【請求項１】
使用者の足部と脚部をそれぞれ覆設する本体足部（１１）と本体脚部（１２）を有する本体部（１）と、
前記本体部（１）に設けられ、前記本体部（１）より緊締力が強く使用者の足根中足関節近傍を周回する帯状の第一緊締部（２）と、
前記本体部（１）より緊締力が強く前記第一緊締部（２）から使用者の外足側を通り使用者の外足側の踝の上方に至る帯状の第二緊締部（３）と、
前記本体部（１）より緊締力が強く第二緊締部（３）から上方であって使用者の脛側に延びる第三緊締部（４）と、
前記本体部（１）より緊締力が強く第二緊締部（３）から上方であって使用者のふくらはぎ側に延びる第四緊締部（５）を備え、
使用者の足首から脚部にかけて緊締力が徐々に弱くなることを特徴とする靴下。
【請求項２】
前記第三緊締部（４）が、さらに使用者の脛側からふくらはぎ側に螺旋状に延び、前記第四緊締部（５）と使用者の内足側で当接することを特徴とする請求項１に記載の靴下。
【請求項３】
前記本体部（１）に、前記本体部（１）より緊締力が強く使用者のアキレス腱近傍を覆い使用者の外足側から内足側に帯状に設けられた第五緊締部（６）を備えることを特徴とする請求項１又は請求項２に記載の靴下。
【請求項４】
使用者の足首近傍における緊締力が２５〜４５ｈＰａであり、使用者の足部を挿入する開口縁部（１３）の緊締力が２０〜４０ｈＰａであることを特徴とする請求項１から請求項３のいずれかに記載の靴下。
【考案の詳細な説明】
【技術分野】
【０００１】
本考案は、使用者が着用時に所定の緊締力を得てテーピング機能を発現させるとともに脚の筋肉の運動を促進することができる靴下に関するものである。
【背景技術】
【０００２】
従来、各種スポーツやトレーニングなどの運動を行うときに、怪我の予防や再発防止のために、使用者の足や脚の関節、筋肉や靭帯などにテーピングを行ったときと同様な緊締状態となるように伸縮性又は非伸縮性の部材を備え、テーピング機能を発現する靴下が種々知られている。
【０００３】
例えば、特許文献１には、ベースとなる靴下本体に、足首、足の裏、足の甲、その他適宜の部位を締め付けてホールドすることができ、使用者の外足側及び内足側に帯状に配設された締め付け部を備えた靴下が開示されている。
【先行技術文献】
【特許文献】
【０００４】
【特許文献１】特開２００７−１７５４６５号公報
【考案の概要】
【考案が解決しようとする課題】
【０００５】
しかしながら、特許文献１に記載の靴下において、締め付け部が他の部位に比べて締め付け部の伸びが抑えられているため、使用者が履いたときに所要の締め付け力を作用させ、締め付け部によって覆われている部位を固定することができ、テーピング機能を奏するものであったとしても、着用時に脚の筋肉の運動を十分促進することができないという課題があった。
【０００６】
本考案は上記課題に鑑みてなされたものであり、使用者が着用したときに、使用者の足や脚の関節、筋肉や靭帯などの所定箇所にテーピングを行ったときと同様な緊締状態を作るとともに、使用者の脚の筋肉の運動を促進することができる靴下を提供することを目的とする。
【課題を解決するための手段】
【０００７】
〔１〕すなわち、本考案は、使用者の足部と脚部をそれぞれ覆設する本体足部１１と本体脚部１２を有する本体部１と、前記本体部１に設けられ、前記本体部１より緊締力が強く使用者の足根中足関節近傍を周回する帯状の第一緊締部２と、前記本体部１より緊締力が強く前記第一緊締部２から使用者の外足側を通り使用者の外足側の踝の上方に至る帯状の第二緊締部３と、前記本体部１より緊締力が強く第二緊締部３から上方であって使用者の脛側に延びる第三緊締部４と、前記本体部１より緊締力が強く第二緊締部３から上方であって使用者のふくらはぎ側に延びる第四緊締部５を備え、使用者の足首から脚部にかけて緊締力が徐々に弱くなることを特徴とする靴下である。
【０００８】
〔２〕そして、前記第三緊締部４が、さらに使用者の脛側からふくらはぎ側に螺旋状に延び、前記第四緊締部５と使用者の内足側で当接することを特徴とする前記〔１〕に記載の靴下である。
【０００９】
〔３〕そして、前記本体部１に、前記本体部１より緊締力が強く使用者のアキレス腱近傍を覆い使用者の外足側から内足側に帯状に設けられた第五緊締部６を備えることを特徴とする前記〔１〕又は前記〔２〕記載の靴下である。
【００１０】
〔４〕そして、使用者の足首近傍における緊締力が２５〜４５ｈＰａであり、使用者の足部を挿入する開口縁部１３の緊締力が２０〜４０ｈＰａであることを特徴とする前記〔１〕から前記〔３〕のいずれかに記載の靴下である。
【考案の効果】
【００１１】
本考案の靴下によれば、使用者が着用したときに、使用者の足や脚の関節、筋肉や靭帯などの所定箇所にテーピングを行ったときと同様な緊締状態を作るとともに、使用者の脚の筋肉の運動を促進することができる。
【図面の簡単な説明】
【００１２】
【図１】本考案の靴下の第一実施形態における外足側から見た状態の正面図である。
【図２】本考案の靴下の第一実施形態における背面図である。
【図３】本考案の靴下の第二実施形態における外足側から見た状態の正面図である。
【図４】本考案の靴下の第二実施形態における背面図である。
【考案を実施するための形態】
【００１３】
以下、本考案の靴下に係る実施形態について図面に基づいて詳しく説明する。明細書中における上下の方向は、図１から図４における上下方向である。また、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１４】
〔第一実施形態〕
図１及び図２を参照して、本考案の靴下に係る実施形態について説明する。図１は、一揃いの靴下のうち、右足用のものを外足側から見た状態の図であり、図２は、同じく右足用のものを内足側から見た状態の図である。本実施形態の靴下は、使用者の足部と脚部を覆設する本体部１と、さらに、本体部１に設けられた第一緊締部２、第二緊締部３、第三緊締部４、第四緊締部５などから構成されている。第一緊締部２、第二緊締部３、緊締結合部３１、第三緊締部４、第四緊締部５及び第五緊締部６は、図１及び図２において、薄墨を施している。
【００１５】
本体部１は、本考案の靴下が形成される土台であり、使用者の足部を覆設する本体足部１１と、使用者の脚部を覆設する本体脚部１２を有している。本体部１は、全体として袋状であり、上部には使用者の足を挿入する開口が設けられており、上端が開口縁部１３となっている。開口縁部１３は、ゴム糸などの伸縮性の部材であり、他の本体部１よりも緊締力が強く、使用者が着用したときにずり落ちないように使用者の脚に密着する。
【００１６】
本体足部１１は、使用者の足の爪先、甲、足裏、踵などを覆う部分である。そして、本体脚部１２は、使用者の足首、脛、ふくらはぎなどを覆う部分である。本体足部１１と本体脚部１２は連続して一体化されている。
【００１７】
第一緊締部２は、本体部１に設けられ、本体部１より緊締力が強く使用者の足根中足関節近傍を周回する帯状の部材である。第一緊締部２は、編地、ゴム糸、又はそれらを組み合わせた伸縮性の部材であり、本体部１よりも伸縮性が乏しいことから緊締力が強く、特に足裏及び足の甲の周回方向よりも足先から踵の方向が伸びにくくなっている。このように、第一緊締部２は、足指の付け根近傍を足裏及び足の甲を周回して本体部１よりも強い力で緊締することにより、重心を正しい位置に整えて、足裏の疲労を軽減することができ、また、第二緊締部３などをサポートするとともに装着による運動を促進している。また、第一緊締部２は、足根中足関節近傍を緊締するために２０〜４０ｍｍの幅であることが好ましい。
【００１８】
第二緊締部３は、本体部１に設けられ、本体部１より緊締力が強く第一緊締部２から使用者の外足側を通り使用者の外足側の踝の上方に至る帯状の部材である。第二緊締部３は、編地、ゴム糸、又はそれらを組み合わせた伸縮性の部材であり、本体部１よりも伸縮性が乏しいことから緊締力が強く、第二緊締部３の短手方向よりも長手方向の方がより伸びにくくなっている。このように、第二緊締部３は、第一緊締部２の外足側から使用者の外足側を通り使用者の外足側の踝の上方に至るまで直線状に帯状に配設され、本体部１よりも強い力で緊締することにより、重心が内側にかかり足首の位置をまっすぐになるように調整することができる。また、第二緊締部３は、第一緊締部２、第三緊締部４、第四緊締部５など他の緊締部よりも伸びにくく緊締力が強くなっており、足首の位置を調整している。また、第二緊締部３は、使用者の外足側を緊締するために２０〜３０ｍｍの幅であることが好ましい。
【００１９】
本実施形態において、第二緊締部３の上端には、本体部１より緊締力が強く略菱形の緊締結合部３１が延設されている。緊締結合部３１は、第二緊締部３と同じ幅で延設されている。第二緊締部３は、第三緊締部４及び第四緊締部５が分岐する分岐点であるとともに、重心が内側にかかり足首の位置をまっすぐになるように調整などしている。本実施形態において、緊締結合部３１が設けられているが、他の実施形態において、第二緊締部３の上端から上方に直接的に第三緊締部４及び第四緊締部５が分岐していてもよい。
【００２０】
第三緊締部４は、本体部１に設けられ、本体部１より緊締力が強く第二緊締部３から上方であって使用者の脛側に延びる帯状の部材である。本実施形態において、第三緊締部４は、緊締結合部３１から第四緊締部５と分岐して、使用者の脛側に延び、開口縁部１３に至っている。第三緊締部４は、編地、ゴム糸、又はそれらを組み合わせた伸縮性の部材であり、本体部１よりも伸縮性が乏しいことから緊締力が強く、第三緊締部４の短手方向よりも長手方向の方がより伸びにくくなっている。このように、第三緊締部４は、第二緊締部３の上端と間接的に繋がり、第二緊締部３をサポートするとともに装着による運動を促進している。また、第三緊締部４は、使用者の外足側から脛側を緊締するために２０〜３０ｍｍの幅であることが好ましい。
【００２１】
第四緊締部５は、本体部１に設けられ、本体部１より緊締力が強く第二緊締部３から上方であって使用者のふくらはぎ側に延びる部材である。本実施形態において、第四緊締部５は、緊締結合部３１から第三緊締部４と分岐して、使用者のふくらはぎ側及び内足側に螺旋状に延び、開口縁部１３に至っている。第四緊締部５は、編地、ゴム糸、又はそれらを組み合わせた伸縮性の部材であり、本体部１よりも伸縮性が乏しいことから緊締力が強く、第四緊締部５の短手方向よりも長手方向の方がより伸びにくくなっている。このように、第四緊締部５は、第二緊締部３の上端と間接的に繋がり、第二緊締部３をサポートするとともに装着による運動を促進している。また、第四緊締部５は、使用者の外足側から脛側を緊締するために２０〜３０ｍｍの幅であることが好ましい。
【００２２】
第五緊締部６は、本体部１に設けられ、本体部１より緊締力が強く使用者のアキレス腱近傍を覆い使用者の外足側から内足側に帯状に設けられた部材である。本実施形態において、第五緊締部６は、使用者の踵の上方に位置するアキレス腱及びその左右近傍を覆い、略三日月状に形成されている。第五緊締部６は、編地、ゴム糸、又はそれらを組み合わせた伸縮性の部材であり、本体部１よりも伸縮性が乏しいことから緊締力が強く、第五緊締部６の長手方向よりも短手方向の方がより伸びにくくなっている。このように、第五緊締部６は、第一緊締部２、第二緊締部３、第三緊締部４、第四緊締部５とは直接的に間接的に繋がることなく独立しており、使用者の踵の上方を緊締することで足首を引き締めることができ、足首をテーピング機能により固定することで正しい歩き方を促し怪我を予防することができる。また、第五緊締部６は、使用者の踵の上方を緊締するために最大２０〜３０ｍｍの幅であることが好ましい。第五緊締部６は、本実施形態において、両端部において先細りの形状を有するが、他の実施形態において、両端においても幅が変わらない帯状であってもよい。
【００２３】
そして、本考案の靴下は、使用者の足首から脚部にかけて緊締力が徐々に弱くなっている。本体部１の本体脚部１２の編み方や第二緊締部３、第三緊締部４、第四緊締部５などの緊締力の差異が相俟って、使用者の足首に対応する部分において緊締力が強くなっており、その足首に対応する部分から上方の開口縁部１３に至る使用者の脚部に対応する部分において徐々に緊締力が徐々に弱くなっている。このため、使用者は着用時に、足首をキュッと引き締まった形に整え、足首からふくらはぎにかけて着用時の圧力が徐々に弱くなるので使用者のふくらはぎを引き上げることにより脚の筋肉の運動を促進することができる。
【００２４】
使用者の足首から脚部にかけての緊締力において、使用者の足首近傍における緊締力が２５〜４５ｈＰａであり、使用者の足部を挿入する開口縁部１３の緊締力が２０〜４０ｈＰａであることが好ましい。使用者の足首から脚部にかけての緊締力がこの範囲で徐々に弱くなると、着用時に使用者の脚に流れる血流を止めることなく、また、使用者のふくらはぎを引き上げることにより筋肉の運動を促進することができる。なお、上記の使用者の足首から脚部にかけての緊締力の測定については、複数の圧力センサを内包するベルトを木製の足型における足裏から足首、さらに脚まで配設し、その圧力センサを内包するベルトを含め足型に靴下を着用し、着圧測定器（株式会社ウィル製、Ｓａｌｚｍａｎｎ）を用いて測定された。
【００２５】
そして、本考案の靴下による筋肉の運動を促す効果については、以下の方法により測定して確認した。２５℃、相対湿度５０％ＲＨの環境下において、本考案の靴下を履いた被験者が、腓腹筋下部である足首及び腓腹筋上部であるふくらはぎに測定器（株式会社ミユキ技研製、ポリメイトＩＩＡＰ２１６）の電極を取り付けられて、屋内でウォーキングを行える健康器具であるトレッドミルを用いて１分安静後に時速３．０ｋｍの速さで５分間歩き、それぞれの部位の筋電図から筋肉の活動量を測定した。比較のために、本考案の靴下を履かずに同様の試験を行った。
【００２６】
この結果、本考案の靴下を着用時には、腓腹筋下部である足首における活動量が１６２４ｍＶ・ｍｓｅｃであり、腓腹筋上部であるふくらはぎにおける活動量は１５８９ｍＶ・ｍｓｅｃであった。これに対して、本考案の靴下を着用していない素足のときには、腓腹筋下部である足首における活動量が２０２４ｍＶ・ｍｓｅｃであり、腓腹筋上部であるふくらはぎにおける活動量は１６８３ｍＶ・ｍｓｅｃであった。この結果を表１に示す。
【００２７】
【表１】
0003226124.tif 000003
【００２８】
表１より、本実施形態の靴下を着用したときには、筋肉活動量が未着用時に比べて、足首あたりでは１９．８％低下しており、ふくらはぎあたりでは５．６％低下していることから、使用者の足首及びふくらはぎをサポートしており、使用者の足及び脚を正しい位置に矯正することで、散漫な筋肉の動きを抑制し、使用者の脚の筋肉における適切な運動を促進できることがわかった。
【００２９】
〔第二実施形態〕
図３及び図４を参照して、本考案の靴下に係る実施形態について説明する。図３は、一揃いの靴下のうち、右足用のものを外足側から見た状態の図であり、図４は、同じく右足用のものを内足側から見た状態の図である。本実施形態の靴下は、使用者の足部と脚部を覆設する本体部１と、さらに、本体部１に設けられた第一緊締部２、第二緊締部３、第三緊締部４、第四緊締部５などから構成されている。このうち、本体部１、第一緊締部２、第二緊締部３、緊締結合部３１、第五緊締部６などにおいては、第一実施形態とおおよそ同様であり、第三緊締部４、第四緊締部５については第一実施形態と異なる点があるので以下に説明する。なお、本実施形態は、本体部１が第一実施形態の本体部１より上方に長く、使用者のふくらはぎをほぼ覆い開口縁部１３が膝下あたりに位置するハイソックスタイプである。
【００３０】
第三緊締部４は、本体部１に設けられ、本体部１より緊締力が強く第二緊締部３から上方であって使用者の脛側に延びる帯状の部材である。本実施形態において、第三緊締部４は、緊締結合部３１から第四緊締部５と分岐して、使用者の脛側から内足側を経由してふくらはぎ側に螺旋状に延び、開口縁部１３に至っている。そして、第三緊締部４において、使用者の内足側において、第四緊締部５と当接している。第三緊締部４は、編地、ゴム糸、又はそれらを組み合わせた伸縮性の部材であり、本体部１よりも伸縮性が乏しいことから緊締力が強く、第三緊締部４の短手方向よりも長手方向の方がより伸びにくくなっている。このように、第三緊締部４は、第二緊締部３の上端と間接的に繋がり、第二緊締部３をサポートするとともに装着による運動を促進している。また、第三緊締部４は、使用者の外足側から脛側を緊締するために２０〜３０ｍｍの幅であることが好ましい。
【００３１】
第四緊締部５は、本体部１に設けられ、本体部１より緊締力が強く第二緊締部３から上方であって使用者のふくらはぎ側に延びる部材である。本実施形態において、第四緊締部５は、緊締結合部３１から第三緊締部４と分岐して、使用者のふくらはぎ側及び内足側に螺旋状に延び、その内足側において第三緊締部４と当接している。第四緊締部５は、編地、ゴム糸、又はそれらを組み合わせた伸縮性の部材であり、本体部１よりも伸縮性が乏しいことから緊締力が強く、第四緊締部５の短手方向よりも長手方向の方がより伸びにくくなっている。このように、第四緊締部５は、第二緊締部３の上端と間接的に繋がり、第二緊締部３をサポートするとともに装着による運動を促進している。また、第四緊締部５は、使用者の外足側から脛側を緊締するために２０〜３０ｍｍの幅であることが好ましい。
【００３２】
そして、本考案の靴下においても、使用者の足首から脚部にかけて緊締力が徐々に弱くなっており、使用者の足首から脚部にかけての緊締力において、第一実施形態と同様に、使用者の足首近傍における緊締力が２５〜４５ｈＰａであり、使用者の足部を挿入する開口縁部１３の緊締力が２０〜４０ｈＰａであることが好ましい。
【００３３】
そして、第一実施形態と同様に本実施形態の着用時の筋電図を測定した。その結果、本考案の靴下を着用時には、腓腹筋下部である足首における活動量が１９１９ｍＶ・ｍｓｅｃであり、腓腹筋上部であるふくらはぎにおける活動量は１５４４ｍＶ・ｍｓｅｃであった。この結果も表１に示す。
【００３４】
表１より、第一実施形態と同様に、本実施形態の靴下を着用したときにも、筋肉活動量が未着用時に比べて、足首あたり及びふくらはぎあたりでは低下していることから（足首あたりで５．２％低下しており、ふくらはぎあたりでは８．３％低下）、使用者の足首及びふくらはぎをサポートしており、使用者の足及び脚を正しい位置に矯正することで、散漫な筋肉の動きを抑制し、使用者の脚の筋肉における適切な運動を促進できることがわかった。
【符号の説明】
【００３５】
１・・・本体部
１１・・・本体足部
１２・・・本体脚部
１３・・・開口縁部
２・・・第一緊締部
３・・・第二緊締部
３１・・・緊締結合部
４・・・第三緊締部
５・・・第四緊締部
６・・・第五緊締部
【図１】
0003226124.tif 000004
【図２】
0003226124.tif 000005
【図３】
0003226124.tif 000006
【図４】
0003226124.tif 000007